(57)【要約】簡単な構成で、ＰＣを実質的に移動することが出来ないようにして、盗難防止の効果を図ること出来るロック用組体を提供することである。この発明に係わるロック用組体１０は、ＬＡＮケーブル１００の先端に一体的に取り付けられ、抜き取り可能にコンピュータ１０２の差込口１０４に挿入されて、その挿入状態をラッチされるＬＡＮケーブル用コネクタ１０６に着脱自在に取り付けられ、取り付け状態において、ＬＡＮケーブル用コネクタ１０６の差込口１０４への挿入状態をロックし、取り外された状態において、ＬＡＮケーブル用コネクタ１０６を差込口１０４から抜き取り可能とすることを特徴としている。
2005004293.tif 000002
【特許請求の範囲】
【請求項１】
ＬＡＮケーブル用コネクタに一体的に取り付けられ、抜き取り可能にＬＡＮケーブル用コネクタを差し込む差込口に挿入されて、その挿入状態をラッチされるＬＡＮケーブル用コネクタに着脱自在に取り付けられるロック用組体であって、
取り付け状態において、前記ＬＡＮケーブル用コネクタの前記差込口への挿入状態をロックし、取り外された状態において、前記ＬＡＮケーブル用コネクタを前記差込口から抜き取り可能とするロック用組体。
【請求項２】
周方向に分離可能に設けられ、組み付けられた状態で前記ＬＡＮケーブル用コネクタの外周を、実質的に密着する状態で取り囲むようになされた第１及び第２の囲繞体と、
前記第１の囲繞体に設けられ、前記ＬＡＮケーブル用コネクタの外周を取り囲むように組み付けられた状態で、前記ＬＡＮケーブル用コネクタに対してのこれの軸方向に沿う移動を係止する係止手段と、
前記第２の囲繞体に設けられ、前記ＬＡＮケーブル用コネクタの外周を取り囲むように組み付けられた状態で、前記ＬＡＮケーブル用コネクタに備えられたラッチ用フラッパのラッチ解除方向の動きを規制する規制手段と、
を具備することを特徴とする請求項１に記載のロック用組体。
【請求項３】
前記第１及び第２の囲繞体の一方は、前記ＬＡＮケーブル用コネクタの外周を構成する４つの面のうちの３つの面を覆うように形成され、
前記第１及び第２の囲繞体の他方は、前記ＬＡＮケーブル用コネクタの外周を構成する４つの面のうちの残りの１つの面を覆うように形成されていることを特徴とする請求項２に記載のロック用組体。
【請求項４】
前記第１の囲繞体が、前記ＬＡＮケーブル用コネクタの外周を構成する４つの面のうちの３つの面を覆うように形成され、
前記第２の囲繞体が、前記ＬＡＮケーブル用コネクタの外周を構成する４つの面のうちの残りの１つの面を覆うように形成されていることを特徴とする請求項２に記載のロック用組体。
【請求項５】
前記係止手段は、前記ＬＡＮケーブル用コネクタの、前記ラッチ用フラッパが設けられた面以外の側の面に形成された溝に係止される係止用突起を備えることを特徴とする請求項２に記載のロック用組体。
【請求項６】
前記溝は、前記ＬＡＮケーブル用コネクタの、前記ラッチ用フラッパが設けられた面とは反対側の面に形成されていることを特徴とする請求項５に記載のロック用組体。
【請求項７】
前記ラッチ用フラッパは、これが取り付けられたＬＡＮケーブル用コネクタの面に向けて押し込まれることにより、ラッチを解除されるように設定されており、
前記規制手段は、前記第１及び第２の囲繞体が前記ＬＡＮケーブル用コネクタの外周を取り囲むように組み付けられた状態で、前記第２の囲繞体から前記ラッチ用フラッパの根元付近まで延出し、該ラッチ用フラッパの押し込み方向の偏倚を規制する規制片を備えることを特徴とする請求項２に記載のロック用組体。
【請求項８】
前記第１及び第２の囲繞体は、錠前により、互いに分離不能に連結され、錠前が開錠されることにより、互いに分離可能となることを特徴とする請求項２に記載のロック用組体。
【請求項９】
前記第１及び第２の囲繞体は、前記ＬＡＮケーブル用コネクタの外周を取り囲むように組み付けられた状態で、互に重ねあわされる部分を有し、
該重ね合わされ部分には、前記錠前のロック竿が相通されるロック穴が、互に連通する状態で形成されていることを特徴とする請求項８に記載のロック用組体。
【請求項１０】
前記第１及び第２の囲繞体は、特殊ネジにより、互いに分離不能に連結され、特殊ネジがはずされることにより、互いに分離可能となることを特徴とする請求項２に記載のロック用組体。
【請求項１１】
前記第１及び第２の囲繞体は、前記ＬＡＮケーブル用コネクタの外周を取り囲むように組み付けられた状態で、互に重ねあわされる部分を有し、
該重ね合わされ部分における前記第１及び第２の囲繞体の一方は前記特殊ネジのネジ部が貫通するバカ穴を有し、他方は前記ネジ部を嵌め込むネジ部を有することを特徴とする請求項１０に記載のロック用組体。
【請求項１２】
複数のＬＡＮケーブル用コネクタに一体的に取り付けられ、抜き取り可能にＬＡＮケーブル用コネクタを差し込む差込口に挿入されて、その挿入状態をラッチされる複数のＬＡＮケーブル用コネクタに着脱自在に取り付けられるロック用組体であって、
取り付け状態において、前記複数のＬＡＮケーブル用コネクタの前記差込口への夫々の挿入状態をロックし、取り外された状態において、前記複数のＬＡＮケーブル用コネクタを前記差込口から夫々抜き取り可能とするロック用組体。
【請求項１３】
前記複数のＬＡＮケーブル用コネクタを取り囲む外周に分離可能に設けられ、組み付けられた状態で前記複数のＬＡＮケーブル用コネクタを取り囲む外周を、実質的に密着する状態で挟み込むようになされた第１及び第２の囲繞体と、
前記第１の囲繞体に設けられ、前記複数のＬＡＮケーブル用コネクタの外周を取り囲むように組み付けられた状態で、前記複数のＬＡＮケーブル用コネクタの夫々の軸方向に沿う移動を係止する係止手段と、
前記第２の囲繞体に設けられ、前記複数のＬＡＮケーブル用コネクタの外周を取り囲むように組み付けられた状態で、前記複数のＬＡＮケーブル用コネクタの夫々に備えられたラッチ用フラッパのラッチ解除方向の動きを規制する規制手段と、
を具備することを特徴とする請求項１２に記載のロック用組体。
【請求項１４】
前記第１及び第２の囲繞体の一方は、前記複数のＬＡＮケーブル用コネクタを取り囲む外周を構成する４つの面のうちの３つの面を覆うように形成され、
前記第１及び第２の囲繞体の他方は、前記複数のＬＡＮケーブル用コネクタを取り囲む外周を構成する４つの面のうちの残りの１つの面を覆うように形成されていることを特徴とする請求項１３に記載のロック用組体。
【請求項１５】
前記第１の囲繞体が、前記複数のＬＡＮケーブル用コネクタを取り囲む外周を構成する４つの面のうちの３つの面を覆うように形成され、
前記第２の囲繞体が、前記複数のＬＡＮケーブル用コネクタを取り囲む外周を構成する４つの面のうちの残りの１つの面を覆うように形成されていることを特徴とする請求項１３に記載のロック用組体。
【請求項１６】
前記係止手段は、前記複数のＬＡＮケーブル用コネクタの夫々に備えられた前記ラッチ用フラッパが設けられた面以外の側の面に形成された溝に係止される係止用突起を備えることを特徴とする請求項１３に記載のロック用組体。
【請求項１７】
前記溝は、前記複数のＬＡＮケーブル用コネクタの夫々に備えられた前記ラッチ用フラッパが設けられた面とは反対側の面に形成されていることを特徴とする請求項１６に記載のロック用組体。
【請求項１８】
前記複数のＬＡＮケーブル用コネクタの夫々に備えられた前記ラッチ用フラッパは、これが取り付けられたＬＡＮケーブル用コネクタの面に向けて押し込まれることにより、ラッチを解除されるように設定されており、
前記規制手段は、前記第１及び第２の囲繞体が前記複数のＬＡＮケーブル用コネクタの外周を取り囲むように組み付けられた状態で、前記第２の囲繞体から前記ラッチ用フラッパの根元付近まで延出し、該ラッチ用フラッパの押し込み方向の偏倚を規制する規制片を備えることを特徴とする請求項１３に記載のロック用組体。
【請求項１９】
前記第１及び第２の囲繞体は、錠前により、互いに分離不能に連結され、錠前が開錠されることにより、互いに分離可能となることを特徴とする請求項１３に記載のＬＡＮケーブル用コネクタのロック用組体。
【請求項２０】
前記第１及び第２の囲繞体は、前記複数のＬＡＮケーブル用コネクタの外周を取り囲むように組み付けられた状態で、互に重ねあわされる部分を有し、
該重ね合わされ部分には、前記錠前のロック竿が相通されるロック穴が、互に連通する状態で形成されていることを特徴とする請求項１９に記載のロック用組体。
【請求項２１】
前記第１及び第２の囲繞体は、特殊ネジにより、互いに分離不能に連結され、特殊ネジがはずされることにより、互いに分離可能となることを特徴とする請求項１３に記載のロック用組体。
【請求項２２】
前記第１及び第２の囲繞体は、前記ＬＡＮケーブル用コネクタの外周を取り囲むように組み付けられた状態で、互に重ねあわされる部分を有し、
該重ね合わされ部分における前記第１及び第２の囲繞体の一方は前記特殊ネジのネジ部が貫通するバカ穴を有し、他方は前記ネジ部を嵌め込むネジ部を有することを特徴とする請求項２１に記載のロック用組体。
【請求項２３】
前記第１及び第２の囲繞体により構成される４つの面の、少なくとも１つの面に識別手段を有することを特徴とする請求項２又は請求項１３に記載のロック用組体。
【請求項２４】
前記識別手段は、カラーシールであることを特徴とする請求項２３に記載のロック用組体。
【請求項２５】
前記第１及び第２の囲繞体により構成される４つの面の、少なくとも１つの面が着色されていることを特徴とする請求項２又は請求項１３に記載のロック用組体。
【発明の詳細な説明】
【技術分野】  本発明は、ローカルエリアネットワークやイントラネットを構成するためのＬＡＮケーブルの先端に一体的に取り付けられ、コンピュータ（以下、単にＰＣと呼ぶ。）側の差込口若しくはイントラネットを構成するハブの差込口に抜き差し自在に設けられたコネクタを利用して、コンピュータの盗難を防止するためのロック用組体に関する。
【背景技術】  従来から、ＰＣの盗難防止のために、ＰＣをワイヤー等の連結具で固定部材（例えば、机等）に連結させて、その設置位置に止め置かせる技術は知られており実用に供されている。しかしながら、上述した連結具を用いる場合、現在販売中のＰＣでは連結具を通す穴が形成されておらず、そのため、ＰＣの表面に連結具を通すための穴が形成されたフック部材を接着しなければならないものであった。このように、フック部材を一旦ＰＣの表面に接着してしまうと、これを取り外すことが極めて困難となり、これを無理やり取り外そうとすると、ＰＣの筐体を破損することもあり、改善が要望されていた。
また、ハブを介してサーバに複数のＰＣが接続されるイントラネット構成などの場合、ハブに接続されたＬＡＮケーブルを抜くことにより、そのＬＡＮケーブルに接続されたＰＣもＬＡＮケーブルと一体で持ち出せることが可能になってしまう。そのため、イントラネット構成の場合、上述の連結具を用いてＰＣをその設置場所に止め置かせても、盗難防止の効果を持たせるには不十分であった。
さらに、ハブに接続されたＬＡＮケーブルを故意または誤って抜いたり、異なるＬＡＮケーブルを故意または誤って差込むことで発生する、イントラネットのシステム障害等のトラブルを防止することも不十分であった。
さらにまた、ＰＣの管理者が、ＰＣ盗難防止の確認を行ったり、ＰＣのハブへの接続状況の確認を行うためには、管理対象のＰＣの識別が不可欠であるが、これまでは、ＰＣ管理者は、接続されているＬＡＮケーブルのコネクタの形や色などにより管理対象のＰＣを識別するのみであった。このため、ＬＡＮケーブルのコネクタの形が似ていたり、色が同色であった場合に、盗難防止の確認や接続状況の確認をうまく行えないことがあった。
この発明は、上述した事情に鑑みなされたもので、この発明の主たる目的は、簡単な構成で、ＰＣを実質的に移動することが出来ないようにして、盗難防止の効果を図ること出来るロック用組体を提供することである。
また、この発明の別の目的は、ＰＣの筐体に何ら別部材をつけることなく、このＰＣをその設置場所に止め置かせて、盗難防止の効果を奏することの出来るロック用組体を提供することである。
また、この発明の他の目的は、ＬＡＮケーブル用コネクタの差込口への挿入状態をロックすることにより、ＰＣを移動することが出来ないようにして、盗難防止の効果を奏することの出来るロック用組体を提供することである。
また、この発明の他の目的は、ハブを介してサーバに複数のＰＣが接続されるイントラネット構成などの場合にも、複数のＬＡＮケーブル用コネクタに対しハブの複数の差込口への挿入状態をロックし、ハブからＬＡＮケーブルを抜けない状態とすることにより、ＬＡＮケーブルに接続されているＰＣを移動することが出来ないようにして、盗難防止やＬＡＮケーブルの抜き差しによるトラブル防止の効果を図ることの出来るロック用組体を提供することである。
また、この発明の他の目的は、ＰＣ盗難防止の確認を行ったり、ＰＣのハブへの接続状況の確認を行う際に、接続されているＬＡＮケーブルのコネクタの形や色など頼らずに確実に管理対象のＰＣを識別することが出来るロック用組体を提供することである。
【発明の開示】
上述した課題を解決し、目的を達成するため、この発明に係わるロック用組体は、請求項１の記載によれば、ＬＡＮケーブル用コネクタに一体的に取り付けられ、抜き取り可能にＬＡＮケーブル用コネクタを差し込む差込口に挿入されて、その挿入状態をラッチされるＬＡＮケーブル用コネクタに着脱自在に取り付けられるロック用組体であって、取り付け状態において、前記ＬＡＮケーブル用コネクタの前記差込口への挿入状態をロックし、取り外された状態において、前記ＬＡＮケーブル用コネクタを前記差込口から抜き取り可能であるを特徴とする。
上述した課題を解決し、目的を達成するため、この発明に係わるロック用組体は、請求項２の記載によれば、周方向に分離可能に設けられ、組み付けられた状態で前記ＬＡＮケーブル用コネクタの外周を、実質的に密着する状態で取り囲むようになされた第１及び第２の囲繞体と、前記第１の囲繞体に設けられ、前記ＬＡＮケーブル用コネクタの外周を取り囲むように組み付けられた状態で、前記ＬＡＮケーブル用コネクタに対してのこれの軸方向に沿う移動を係止する係止手段と、前記第２の囲繞体に設けられ、前記ＬＡＮケーブル用コネクタの外周を取り囲むように組み付けられた状態で、前記ＬＡＮケーブル用コネクタに備えられたラッチ用フラッパのラッチ解除方向の動きを規制する規制手段と、を具備することを特徴とする。
上述した課題を解決し、目的を達成するため、この発明に係わるロック用組体は、請求項３の記載によれば、前記第１及び第２の囲繞体の一方は、前記ＬＡＮケーブル用コネクタの外周を構成する４つの面のうちの３つの面を覆うように形成され、前記第１及び第２の囲繞体の他方は、前記ＬＡＮケーブル用コネクタの外周を構成する４つの面のうちの残りの１つの面を覆うように形成されていることを特徴とする。
上述した課題を解決し、目的を達成するため、この発明に係わるロック用組体は、請求項４の記載によれば、前記第１の囲繞体が、前記ＬＡＮケーブル用コネクタの外周を構成する４つの面のうちの３つの面を覆うように形成され、前記第２の囲繞体が、前記ＬＡＮケーブル用コネクタの外周を構成する４つの面のうちの残りの１つの面を覆うように形成されていることを特徴とする。
上述した課題を解決し、目的を達成するため、この発明に係わるロック用組体は、請求項５の記載によれば、前記係止手段は、前記ＬＡＮケーブル用コネクタの、前記ラッチ用フラッパが設けられた面以外の側の面に形成された溝に係止される係止用突起を備えることを特徴とする。
上述した課題を解決し、目的を達成するため、この発明に係わるロック用組体は、請求項６の記載によれば、前記溝は、前記ＬＡＮケーブル用コネクタの、前記ラッチ用フラッパが設けられた面とは反対側の面に形成されていることを特徴とする。
上述した課題を解決し、目的を達成するため、この発明に係わるロック用組体は、請求項７の記載によれば、前記ラッチ用フラッパは、これが取り付けられたＬＡＮケーブル用コネクタの面に向けて押し込まれることにより、ラッチを解除されるように設定されており、前記規制手段は、前記第１及び第２の囲繞体が前記ＬＡＮケーブル用コネクタの外周を取り囲むように組み付けられた状態で、前記第２の囲繞体から前記ラッチ用フラッパの根元付近まで延出し、該ラッチ用フラッパの押し込み方向の偏倚を規制する規制片を備えることを特徴とする。
上述した課題を解決し、目的を達成するため、この発明に係わるロック用組体は、請求項８の記載によれば、前記第１及び第２の囲繞体は、錠前により、互いに分離不能に連結され、錠前が開錠されることにより、互いに分離可能となることを特徴とする。
上述した課題を解決し、目的を達成するため、この発明に係わるロック用組体は、請求項９の記載によれば、前記第１及び第２の囲繞体は、前記ＬＡＮケーブル用コネクタの外周を取り囲むように組み付けられた状態で、互に重ねあわされる部分を有し、該重ね合わされ部分には、前記錠前のロック竿が相通されるロック穴が、互に連通する状態で形成されていることを特徴とする。
上述した課題を解決し、目的を達成するため、この発明に係わるロック用組体は、請求項１０の記載によれば、前記第１及び第２の囲繞体は、特殊ネジにより、互いに分離不能に連結され、特殊ネジがはずされることにより、互いに分離可能となることを特徴とする。
上述した課題を解決し、目的を達成するため、この発明に係わるロック用組体は、請求項１１の記載によれば、前記第１及び第２の囲繞体は、前記ＬＡＮケーブル用コネクタの外周を取り囲むように組み付けられた状態で、互に重ねあわされる部分を有し、該重ね合わされ部分における前記第１及び第２の囲繞体の一方は前記特殊ネジのネジ部が貫通するバカ穴を有し、他方は前記ネジ部を嵌め込むネジ部を有することを特徴とする。
上述した課題を解決し、目的を達成するため、この発明に係わるロック用組体は、請求項１２の記載によれば、複数のＬＡＮケーブル用コネクタに一体的に取り付けられ、抜き取り可能にＬＡＮケーブル用コネクタを差し込む差込口に挿入されて、その挿入状態をラッチされる複数のＬＡＮケーブル用コネクタに着脱自在に取り付けられるロック用組体であって、取り付け状態において、前記複数のＬＡＮケーブル用コネクタの前記差込口への夫々の挿入状態をロックし、取り外された状態において、前記複数のＬＡＮケーブル用コネクタを前記差込口から夫々抜き取り可能であることを特徴とする。
上述した課題を解決し、目的を達成するため、この発明に係わるロック用組体は、請求項１３の記載によれば、前記複数のＬＡＮケーブル用コネクタを取り囲む外周に分離可能に設けられ、組み付けられた状態で前記複数のＬＡＮケーブル用コネクタを取り囲む外周を、実質的に密着する状態で挟み込むようになされた第１及び第２の囲繞体と、前記第１の囲繞体に設けられ、前記複数のＬＡＮケーブル用コネクタの外周を取り囲むように組み付けられた状態で、前記複数のＬＡＮケーブル用コネクタの夫々の軸方向に沿う移動を係止する係止手段と、前記第２の囲繞体に設けられ、前記複数のＬＡＮケーブル用コネクタの外周を取り囲むように組み付けられた状態で、前記複数のＬＡＮケーブル用コネクタの夫々に備えられたラッチ用フラッパのラッチ解除方向の動きを規制する規制手段と、を具備することを特徴とする。
上述した課題を解決し、目的を達成するため、この発明に係わるロック用組体は、請求項１４の記載によれば、前記第１及び第２の囲繞体の一方は、前記複数のＬＡＮケーブル用コネクタを取り囲む外周を構成する４つの面のうちの３つの面を覆うように形成され、前記第１及び第２の囲繞体の他方は、前記複数のＬＡＮケーブル用コネクタを取り囲む外周を構成する４つの面のうちの残りの１つの面を覆うように形成されていることを特徴とする。
上述した課題を解決し、目的を達成するため、この発明に係わるロック用組体は、請求項１５の記載によれば、前記第１の囲繞体が、前記複数のＬＡＮケーブル用コネクタを取り囲む外周を構成する４つの面のうちの３つの面を覆うように形成され、前記第２の囲繞体が、前記複数のＬＡＮケーブル用コネクタを取り囲む外周を構成する４つの面のうちの残りの１つの面を覆うように形成されていることを特徴とする。
上述した課題を解決し、目的を達成するため、この発明に係わるロック用組体は、請求項１６の記載によれば、前記係止手段は、前記複数のＬＡＮケーブル用コネクタの夫々に備えられた前記ラッチ用フラッパが設けられた面以外の側の面に形成された溝に係止される係止用突起を備えることを特徴とする。
上述した課題を解決し、目的を達成するため、この発明に係わるロック用組体は、請求項１７の記載によれば、前記溝は、前記複数のＬＡＮケーブル用コネクタの夫々に備えられた前記ラッチ用フラッパが設けられた面とは反対側の面に形成されていることを特徴とする。
上述した課題を解決し、目的を達成するため、この発明に係わるロック用組体は、請求項１８の記載によれば、前記複数のＬＡＮケーブル用コネクタの夫々に備えられた前記ラッチ用フラッパは、これが取り付けられたＬＡＮケーブル用コネクタの面に向けて押し込まれることにより、ラッチを解除されるように設定されており、前記規制手段は、前記第１及び第２の囲繞体が前記複数のＬＡＮケーブル用コネクタの外周を取り囲むように組み付けられた状態で、前記第２の囲繞体から前記ラッチ用フラッパの根元付近まで延出し、該ラッチ用フラッパの押し込み方向の偏倚を規制する規制片を備えることを特徴とする。
上述した課題を解決し、目的を達成するため、この発明に係わるロック用組体は、請求項１９の記載によれば、前記第１及び第２の囲繞体は、錠前により、互いに分離不能に連結され、錠前が開錠されることにより、互いに分離可能となることを特徴とする。
上述した課題を解決し、目的を達成するため、この発明に係わるロック用組体は、請求項２０の記載によれば、前記第１及び第２の囲繞体は、前記複数のＬＡＮケーブル用コネクタの外周を取り囲むように組み付けられた状態で、互に重ねあわされる部分を有し、該重ね合わされ部分には、前記錠前のロック竿が相通されるロック穴が、互に連通する状態で形成されていることを特徴とする。
上述した課題を解決し、目的を達成するため、この発明に係わるロック用組体は、請求項２１の記載によれば、前記第１及び第２の囲繞体は、特殊ネジにより、互いに分離不能に連結され、特殊ネジがはずされることにより、互いに分離可能となることを特徴とする。
上述した課題を解決し、目的を達成するため、この発明に係わるロック用組体は、請求項２２の記載によれば、前記第１及び第２の囲繞体は、前記ＬＡＮケーブル用コネクタの外周を取り囲むように組み付けられた状態で、互に重ねあわされる部分を有し、該重ね合わされ部分における前記第１及び第２の囲繞体の一方は前記特殊ネジのネジ部が貫通するバカ穴を有し、他方は前記ネジ部を嵌め込むネジ部を有することを特徴とする。
上述した課題を解決し、目的を達成するため、この発明に係わるロック用組体は、請求項２３の記載によれば、前記第１及び第２の囲繞体により構成される４つの面の、少なくとも１つの面に識別手段を有することを特徴とする。
上述した課題を解決し、目的を達成するため、この発明に係わるロック用組体は、請求項２４の記載によれば、前記識別手段は、カラーシールであることを特徴とする。
上述した課題を解決し、目的を達成するため、この発明に係わるロック用組体は、請求項２５の記載によれば、前記第１及び第２の囲繞体により構成される４つの面の、少なくとも１つの面が着色されていることを特徴とする。
【図面の簡単な説明】  第１図は、この発明の第一の実施例に係わるロック用組体の組み上げられた状態を示す斜視図である。
第２図は、図１に示すロック用組体が組み付けられ、コネクタの差込口への挿入状態がロックされた状態を示す断面図である。
第３図は、図１に示すロック用組体を構成する第１の囲繞体を示す左側面図である。
第４図は、図３に示す第１の囲繞体の右側面図である。
第５図は、図３に示す第１の囲繞体の平明図である。
第６図は、図３に示す第１の囲繞体の背面図である。
第７図は、図１に示すロック用組体を構成する第２の囲繞体を示す右側面図である。
第８図は、図７に示す第２の囲繞体の平面図である。
第９図９は、図７に示す第２の囲繞体の左側面図である。
第１０図は、第１の囲繞体に第２の囲繞体を組み込む直前の状態を示す平面図である。
第１１図は、図１０に示す状態から、第１の囲繞体に第２の囲繞体を組み込んだ直後の状態を示す平面図である。
第１２図は、図１１に示す状態から、第１の囲繞体に対して第２の囲繞体を幅方向に沿って移動させた状態を示す平面図である。
第１３図は、図１２に示す組み上げ後のロック用組体の構成を示す背面図である。
第１４図は、図１２に示す組み上げ後のロック用組体の構成を示す右側面図である。
第１５図は、図１２に示す組み上げ後のロック用組体の構成を示す左側面図である。
第１６図は、コネクタの差込口への挿入動作を示す断面図である。
第１７図は、図１６に示す差込口の構成を取り出して示す斜視図である。
第１８図は、この発明の第二の実施例に係わるロック用組体の組み上げられた状態を示す斜視図である。
第１９図は、図１８に示すロック用組体が組み付けられ、コネクタの差込口への挿入状態がロックされた状態を示す断面図である。
第２０図は、図１８に示すロック用組体を構成する第１の囲繞体を示す正面図である。
第２１図は、図２０に示す第１の囲繞体の側面図である。
第２２図は、図２０に示す第１の囲繞体の平面図である。
第２３図は、図１８に示すロック用組体を構成する第２の囲繞体を示す平面図である。
第２４図は、図２３に示す第２の囲繞体の側面図である。
第２５図は、図２３に示す第２の囲繞体の正面図である。
第２６図は、図１８に示すロック用組体の第１の囲繞体に第２の囲繞体を組み込む直前の状態を示す正面図である。
第２７図は、図１８に示すロック用組体のコネクタの差込口への挿入動作を示す断面図である。
第２８図は、図２７に示す差込口の構成を示す斜視図である。
第２９図は、この発明の第三の実施例に係わるロック用組体の斜視図である。
第３０図は、図２９に示すロック用組体が組み付けられ、コネクタの差込口への挿入状態がロックされた状態を示す断面図である。
第３１図は、各種特殊ネジの形状を示す斜視図である。
第３２図は、図２９に示すロック用組体を構成する第１の囲繞体を示す図である。
第３３図は、図２９に示すロック用組体を構成する第２の囲繞体を示す図である。
第３４図は、図２９に示すロック用組体の第１の囲繞体に第２の囲繞体を組み込む直前の状態を示す正面図である。
第３５図は、この発明の第四の実施例に係わるロック用組体の斜視図である。
第３６図は、図３５に示すロック用組体が組み付けられ、コネクタの差込口への挿入状態がロックされた状態を示す断面図である。
第３７図は、図３５に示すロック用組体を構成する第１の囲繞体を示す図である。
第３８図は、図３５に示すロック用組体を構成する第２の囲繞体を示す図である。
第３９図は、図３５に示すロック用組体の第１の囲繞体に第２の囲繞体を組み込む直前の状態を示す正面図である。
第４０図は、この発明の第五の実施例に係わるロック用組体の第１の囲繞体の第２の起立片側から見た斜視図である。
第４１図は、図４０に示すロック用組体の第１の囲繞体の第１の起立片側から見た斜視図である。
第４２図は、図４０に示すロック用組体の第１の囲繞体の底部側から見た斜視図である。
第４３図は、この発明の第六の実施例に係わるロック用組体の第１の囲繞体の第２の起立片側から見た斜視図である。
第４４図は、図４３に示すロック用組体の第１の囲繞体の第１の起立片側から見た斜視図である。
第４５図は、図４３に示すロック用組体の第１の囲繞体の底部側から見た斜視図である。
【発明を実施するための最良の形態】  以下、この発明に係わるロック用組体の最良の形態としての一実施例の構成を、添付図面を用いて、詳細に説明する。
第一の実施例
先ず、図１及び図２に示すように、このロック用組体１０は、ＬＡＮケーブル１００の先端に一体的に取り付けられ、抜き取り可能にコンピュータ（以下、単にＰＣと呼ぶ。）１０２の差込口１０４に挿入されて、その挿入状態をラッチされるＬＡＮケーブル用コネクタ（以下、単にコネクタと呼ぶ。）１０６に着脱自在に取り付けられるように構成されている。
そして、このロック用組体１０は、図１に示すように、その組み付け状態において錠前１０８によりロックされるようになされており、図２に示すように、コネクタ１０６への取り付け状態において、コネクタ１０６の差込口１０４への挿入状態をロックし、コネクタ１０６から取り外された状態において、コネクタ１０６を差込口１０４から抜き取り可能とするように構成されている。そして、このようにコネクタ１０６の差込口１０４への挿入状態をロックすることにより、ＰＣ１０２のその設置場所からの移動を実質的に禁止し、このＰＣ１０２の盗難を防止することができるようになされている。
このロック用組体１０は、基本的には、周方向に分離可能に設けられ、互いに組み付けられた状態で、コネクタ１０６の外周を、実質的に密着する状態で取り囲むようになされた第１及び第２の囲繞体１２，１４と、第１の囲繞体１２に一体的に形成され、コネクタ１０６の外周を取り囲むように組み付けられた状態で、コネクタ１０６に対してのこれの軸方向に沿う移動を係止する係止手段としての係止用突起１６と、第２の囲繞体１４に一体的に形成られ、コネクタ１０６の外周を取り囲むように組み付けられた状態で、コネクタ１０６の上面１０６Ａ（ここで、上面とは、多数の端子が露出している底面１０６Ｂとは反対側の面を言う。）に備えられたラッチ用フラッパ１１０のラッチ解除方向の動きを規制する規制手段としての規制片１８とを備えて構成されている。
ここで、第１の囲繞体１２は、図３乃至図６に示すように、正面視で略Ｕ字状に形成され、詳細には、コネクタ１０６の底面１０６Ａ（ここで、底面とは、これに取り付けられた多数の端子が露出している側の面を言う。）に対応する状態で配設された底部１２Ａと、この底部１２Ａの軸方向に沿う一方の側縁から起立した第１の起立片１２Ｂ及び他方の側縁から起立した第２の起立片１２Ｃと、この底部１２Ａの軸方向に直行する方向に沿う後縁（ここで、前方とは、ＬＡＮケーブル１００の先端に向かう方向を言い、後方とは前方の反対方向を言う。）から起立した第３の起立片１２Ｄを備えて一体的に形成されている。
また、図３に示すように、第１の起立片１２Ｂの上部には、第２の囲繞体１４のフック用突起１４Ａが横方向から挿通されるフック用溝１２Ｅが、厚さ方向に貫通した状態で形成されている。また、他方の起立片１２Ｃは、一方の起立片１２Ｂよりも高く設定されていて、この高くなされた部分には、上述した錠前１０８のロック竿１０８Ａが挿通される一方のロック穴１２Ｆが形成され、また、第２の起立片１２Ｃの、上述したフック用溝１２Ｅに対向する位置（即ち、同じ高さ位置）に、第２の囲繞体１４の係止用溝１４Ｂと入れ子状態で嵌合する係止用溝１２Ｇが、後端縁から前方に向かって約半幅分だけ延出した状態で形成されている。
尚、上述した第３の起立片１２Ｄにより、上述した係止用突起１６が規定されている。即ち、この係止用突起１６は、図２に示すように、コネクタ１０６に組み付けられた状態で、コネクタ１０６の後方部位に多数形成された溝部１０６Ｃの一つに係止可能になされていて、この係止された状態で、第１の囲繞体１２（従って、ロック用組体１０全体）の軸方向に沿う移動が禁止されるようになされている。
また、上述した第２の囲繞体１４は、図７乃至図９に示すように、正面視で略Ｌ字状に形成され、詳細には、板状の本体１４Ｃと、この本体１４Ｃの前記第１の囲繞体１２の一方の側縁と同じ側の側縁から、幅方向に沿って外方に延出、第１の囲繞体１２のフック用溝１２Ｅに嵌合可能に設定されたフック用突起１４Ａと、この本体１４Ｃの前記第１の囲繞体１２の他方の側縁と同じ側から起立した起立片１４Ｄと、この本体１４Ｃの前縁から前方に突出する突出片１４Ｅとを備えて一体的に形成されている。尚、この第一の実施例においては、突出片１４Ｅは、上述した規制片１８として機能するように設定されている。
また、図８に示すように、起立片１４Ｄには、第１の囲繞体１２と組み付けられた状態で、ロック穴１２Ｆと連通するように設定された他方のロック穴１４Ｆが形成され、また、本体１４Ｃの起立片１４Ｄが起立する側の端縁には、上述した係止用溝１２Ｇと入れ子状態で係合する係止用溝１４Ｂが、前端縁から後方に向かって約半幅分だけ延出した状態で形成されている。
以上のように構成される第１及び第２の囲繞体１２，１４を互いに組み立てる組み立て手順について、図１０乃至図１２を参照して説明する。
先ず、図１０に示すように、第１の囲繞体１２に対して、第２の囲繞体１４を後方から組み付ける。この場合、第２の囲繞体１４のフック用突起１４Ａが、第１の囲繞体１２の第１の起立片１２Ｂの直内側に位置するとともに、このフック用突起１４Ａが第１の囲繞体１２のフック用溝１２Ｅと同一高さ位置となる状態で組み付ける。これにより、必然的に、第２の囲繞体１４の起立片１４Ｄは、第１の囲繞体１２の第２の起立片１２Ｃの外側に位置する状態となるとともに、第２の囲繞体１４の係止用溝１４Ｂと、第１の囲繞体１２の係止用溝１２Ｇとが、互いに入れ子状に係合する状態となる。
このように第２の囲繞体１４を第１の囲繞体１２に対して後方から組み付けることにより、図１１に示すように、フック用突起１４Ａがフック用溝１２Ｅの直内側に位置し、且つ、互いの係止用溝１２Ｇ，１４Ｂが入れ子状に係合する状態となる。
この後、第２の囲繞体１４を第１の囲繞体１２に対して、これの幅方向に沿って内方に押し込むように移動させる。これにより、図１２に示すように、フック用突起１４Ａがフック用溝１２Ｅ内に嵌合し、且つ、第２の起立片１２Ｃと起立片１４Ｄとが互いに重なり合う状態となると共に、互いに形成されたロック穴１２Ｆ，１４Ｆが互いに連通する状態となる。そして、錠前１０８のロック竿１０８Ａを、互いに連通したロック穴１２Ｆ，１４Ｆに同時に挿通する。このようにして、図１３乃至図１５に示すように、ロック用組体１０が互いに分離可能な状態で構成されることになる。
尚、上述した組み立て手順の説明においては、これが組み付けられるコネクタ１０６との関係を無視して説明したが、この第一の実施例のロック用組体１０は、コネクタ１０６の外周に組み付けられるもので、次に、図２を再び参照して、ロック用組体１０のコネクタ１０６への組み付け手順を説明する。尚、以下の説明において、ロック用組体１０の組立手順自体の説明は、既に説明しているので省略する。
先ず、第１の囲繞体１２を、コネクタ１０６の三面（即ち、両側面及び底面）を取り囲むようにコネクタ１０６に取り付ける。この状態において、第１の囲繞体１２の底部１２Ａは、コネクタ１０６の底面に対向することになる。この状態で、更に、第１の囲繞体１２の係止用突起１６（即ち、第３の起立片１２Ｄ）を、コネクタ１０６の後方に形成された溝部１０６Ｃに挿入され、これにより、第１の囲繞体１２の軸方向に沿う移動が禁止される状態となる。
このように、第１の囲繞体１２をコネクタ１０６の三面を取り囲む状態で取り付けた後、第２の囲繞体１４を、これの本体１４Ｃがコネクタ１０６の上面を覆うように、第１の囲繞体１２に対して取り付ける。このようにコネクタ１０６の外周を取り囲むように、第１の囲繞体１２に第２の囲繞体１４を組み付けた状態で、図示するように、第２の囲繞体１４に一体的に取り付けられた規制片１８（即ち、突出片１４Ｅ）は、コネクタ１０６のフラッパ１１０の基端部付近まで延出する状態となる。
このようにして、詳細は後述するが、フラッパ１１０を押し込んで、差込口１０４へのラッチ状態を解除しようとしても、このロック用組体１０が組み付けられた状態では、規制片１８がフラッパ１１０の基端部付近まで延出しているので、これが邪魔となって、押し込み動作が阻害されて、差込口１０４へのラッチ状態の解除が出来ない状態となる。即ち、このロック用組体１０により、コネクタ１０６の差込口１０４への挿入状態のラッチが解除されない状態、換言すれば、コネクタ１０６が差込口１０４にロックされた状態となる。
このように、この第一の実施例に係わるロック用組体１０をコネクタ１０６の周囲を取り囲むような状態で組み付けることにより、コネクタ１０６のフラッパ１１０の押し込み方向の移動、即ち、挿入状態のラッチを解除する方向の移動が禁止され、コネクタ１０６が差込口１０４にロックされた状態となる。この結果、ＬＡＮケーブル１００での接続状態が解除されずに、これが接続されたＰＣ１０２を強制的にその設置場所から移動させようとしても、ＬＡＮケーブル１００の接続を外せずに、移動させることが不可能となり、これにより、ＰＣ１０２の盗難を確実に防止することができることになる。
尚、図１６及び図１７を参照して、通常の状態における（即ち、この第一の実施例のロック用組体１０を用いていない状態における）コネクタ１０６の差込口１０４への挿入動作を説明する。
先ず、コネクタ１０６の上面１０６Ａには、弾性的に押し込み偏倚自在にフラッパ１１０が取り付けられており、詳細には、図１６に示すように、これの先端が、コネクタ１０６の上面１０６Ａの前端縁に一体的に取り付けられている。
ここで、フラッパ１１０は、その基端部１１０Ａが幅広に設定されており、この基端部１１０Ａに引き続く先端部１１０Ｂは、基端部１１０Ａよりも幅狭に設定されている。即ち、フラッパ１１０は、幅方向に関して２段構造を呈しており、略中ほどで、段差が形成されているものである。
一方、差込口１０４は、図１７に示すように、開口部の上縁には、フラッパ１１０の幅広の基端部１１０Ａが挿通可能な第１の溝部１０４Ａが形成されており、この第１の溝部１０４Ａの上底面には、フラッパ１００の幅広の基端部１１０Ａが挿通不能で、幅狭の先端部１１０Ｂのみが挿通可能な第２の溝部１０４Ｂが形成されている。尚、第２の溝部１０４Ｂの軸方向に沿う厚さは薄く設定され、所謂係止用の肩部が規定されている。
差込口１０４は、このような構造を呈しているので、再び図１６に示すように、コネクタ１０６が差込口１０４に挿入されてくると、フラッパ１１０の幅広の基端部１１０Ａは、第１の溝部１０４Ａを通り抜けながら、これの上底面で徐々に押し下げられることになる。そして、フラッパ１１０の先端部１１０Ｂに移行する段差部が、上述した肩部を通過した時点で、幅狭の先端部１１０Ｂが自身の弾性力により第２の溝部１０４Ｂ内に落ち込むように入り込むこととなり、これにより、フラッパ１１０の段差部が差込口１０４の肩部に係止されることになる。このような段差部と肩部との係止関係により、コネクタ１０６の差込口１０４への差込状態が、抜き取り不能にラッチされることになる。
一方、この差込状態から、コネクタ１０６を抜き取る際には、フラッパ１１０を自身の弾性力に抗して押し下げる。この押し下げにより、上述した段差部と肩部との間の係止状態が解除され、コネクタ１０６は差込口１０４から抜き出させられる状態となる。即ち、コネクタ１０６の差込口１０４へのラッチ状態が解除されることになる。この解除状態で、コネクタ１０６を差込口１０４から引き抜くことにより、コネクタ１０６は差込口１０４から引き出されることになる。
このように構成されたコネクタ１０６及び差込口１０４の構成において、この第一の実施例のロック用組体１０を用いることにより、組み付けられたロック用組体１０の第２の囲繞体１４に一体的に形成された規制片１８が、フラッパ１１０の押し下げ移動を邪魔することとなり、これにより、フラッパ１１０の押し下げによるラッチの解除が阻止されることになる。この結果、コネクタ１０６は差込口１０４に差し込まれた状態を維持（即ち、ロック）されることとなり、コネクタ１０６の差込口１０４からの抜き取りが確実に禁止されることになる。
以上詳述したように、この第一の実施例に係わるロック用組体１０を用いて、ＰＣ１０２の差込口１０４に差し込まれているコネクタ１０６の、該差込口１０４への差込状態をロックすることにより、ＰＣ１０２をその設置場所に効果的に止め置くことができる効果を奏することができるものであり、これにより、安易にＰＣ１０２を他の場所に移動させることを含めて、盗難から有効に防止することができるものである。即ち、この第一の実施例においては、従来のロック用のワイヤー等の連結具を用いて、ＰＣ１０２をその設置場所に止め置くようにしていたことと比較して、ＰＣ１０２の筐体に何ら別部材を接着することなく、ＰＣ１０２に既に連結されているコネクタ１０６の抜き取りをロック（禁止）することにより、盗難防止の効果を奏することができるものであり、その有用性はきわめて高いものである。
特に、この第一の実施例に係わるロック用組体１０を用いる状態において、ＰＣ１０２を持ち去ろう（その設置場所から強制的に移動させよう）とする者は、ＬＡＮケーブル１００を切断するしか手段がなくなるものである。この点に関しては、従来のロック用ワイヤー等の連結具を用いている場合においても同様に、このワイヤー等の連結具を強力なカッタ等を用いて切断すれば、連結状態が解除されて、ＰＣ１０２は持ち去り可能な状態となる。
ここで、従来のワイヤー等の連結具は、単に、機械的にＰＣ１０２を固定場所に対して連結しているだけであり、ワイヤー等の連結具の切断を、全く感知することが出来ないのに対して、この第一の実施例に係わるロック用組体１０を用いている状態においては、ＬＡＮケーブル１００を介しての連結状態をロックしているので、上述したように、ＬＡＮケーブル１００を切断するしか、連結状態を解除する手段は無いものであり、ひとたび、このＬＡＮケーブル１００が切断されると、例えば、金属製のカッタ刃がＬＡＮケーブル１００内のコードに接触してショートする状態となり、このショート現象が、ＬＡＮケーブル１００が接続される相手側であるサーバにより検知されて、このサーバにおいて、ＬＡＮケーブル１００の意図しない切断が認識されえる状態となるものである。また、例えショート現象が検知されない場合においても、切断された後のＬＡＮケーブル１００においては、コードがオープン状態となるものであり、このオープン状態がサーバにより検知されて、同様に、このサーバにおいて、ＬＡＮケーブル１００の意図しない切断が認識されえる状態となるものである。
即ち、この第一の実施例のロック用組体１０を用いることにより、ＰＣ１０２の盗難を防止することのみならず、仮に盗難された場合において、即座にその盗難された事実を検知することが出来、これにより所謂セキュリティーの向上を図ることができるものである。
一方で、社内の業務用のＰＣ１０２は、通常、ネットワーク接続されているものであり、このため、ＬＡＮケーブル１００がコネクタ１０６を介して、ＰＣ１０２の筐体背面にあるコネクタ受け用の差込口１０４に差し込まれている状態で、実際に使用されているものである。ここで、このようにネットワーク接続された状態で、使用者が自分のみの都合を考えて、他のネットワークにアクセスしようとすると、単に、コネクタ１０６を取り外して、他のネットワークに接続されたＬＡＮケーブルコネクタを差し直しすれば良いことになる。このような使用者の勝手は、会社側としては好ましいものではなく、確実に禁止したいところである。
しかしながら、このようなコネクタ１０６の勝手な抜き差しに対して有効な抑制手段が、従来、存在していなかったものであるが、この第一の実施例に係わるロック用組体１０を用いることにより、上述した盗難防止の効果とは別に、コネクタ１０６の勝手な差し替えを確実に抑止させて、他のネットワークへの接続を防止することができる効果を、更に奏することができるものである。
更に、会社内で業務用として使われているＰＣ１０２がネットワークを介してサーバに接続されている場合において、個人使用のＰＣに、業務用のデータを取り込むことは、厳に禁止されなければならないものである。しかしながら、この業務用のＰＣ１０２の差込口１０４に差し込まれているコネクタ１０６は、簡単に抜き取られ得る状態にあり、このため、個人使用のＰＣに差し替えられて、この個人使用のＰＣからサーバにアクセスされて業務用のデータが取り込まれてしまう虞が、現に存在するものである。
このような虞に対して、この第一の実施例に係わるロック用組体１０を用いることにより、上述した盗難防止の効果とは別に、コネクタ１０６の勝手な差し替えを確実に抑制させて、サーバへの個人用のＰＣの接続を効果的に防止し、サーバ内のデータの保全を図ることの出来る効果を、更に奏することができるものである。
この発明は、上述した第一の実施例の構成に限定されることなく、この発明の要旨を逸脱しない範囲で種々の変形可能であることは言うまでもない。
例えば、上述した第一の実施例においては、係止用突起１６が設けられた第１の囲繞体１２を、正面視でＵ字状に、規制片１８が設けられた第２の囲繞体１４を、正面視でＬ字状に、夫々構成するように説明したが、この発明は、このような構成に限定されること無く、例えば、係止用突起１６が設けられた第１の囲繞体を正面視でＬ字状に、規制片１８が設けられた第２の囲繞体を正面視でＵ字状に、それぞれ構成することのでき、上記第一の実施例と同じような効果を奏することが出来ることは言うまでもない。
また、上述した第一の実施例においては、ロック穴１２Ｆ，１４Ｆは、互いに起立する第２の起立片１２Ｃ及び起立片１４Ｄに、夫々形成されるように説明したが、この発明は、このような構成に限定されること無く、たとえば、第１の囲繞体１２においては、第２の起立片１２Ｃの上方部分を横方向外方に向けて水平に折曲させると共に、この水平部分にロック穴１２Ｆを形成させ、また、第２の囲繞体１４を、正面視でＬ字状に形成せずに略平板状に形成させ、第１の囲繞体１２の第２の起立片１２Ｃから更に外方に延出させ、第２の起立片１２ｃの更に折曲された水平部分と重なり合うように設定し、この延出部分にロック穴１４Ｆを形成させ、互いに重なり合わされた状態で、両ロック穴１２Ｆ，１４Ｆが、互いに連通するような状態となるように設定しても、上記第一の実施例と同様な効果を奏することができることは言うまでもない。
第二の実施例
以下、本発明に係わるロック用組体の第二の実施例について添付図面を用いて詳細に説明する。
図１８は本発明になるロック用組体の組み上げられた状態を示す斜視図、図１９は本発明になるロック用組体が組み上げられ、コネクタが差込口へ挿入された状態でロックされる様子を示す断面図である。
図１８、図１９に示すように、ロック用組体２１０は、第１の囲繞体２１２と第２の囲繞体２１４とから構成される。さらに、ロック用組体２１０は、ＬＡＮケーブル用コネクタ（以下、単にコネクタと呼ぶ。）２０６に取り付けられ、コネクタ２０６がイントラネットを構成するハブの差込口２０４に挿入される状態をロックし或は解除するよう取り付けられている。
すなわち、このロック用組体２１０は、コネクタ２０６に取り付けられた状態では、錠前２０８及び２０９の旋錠によりコネクタ２０６が差込口２０４へ挿入された状態でロックされる。また、ロック用組体２１０は、錠前２０８及び２０９の開錠によりコネクタ２０６から取り外され、コネクタ２０６を差込口２０４からの抜き取りを可能とする。このようにロック用組体２１０は、コネクタ２０６の差込口２０４への挿入状態をロックすることにより、ハブからコネクタ２０６が抜けない状態とし、ＰＣの盗難を防止することができるようになされている。
まず、図１８について詳細に説明する。第２の囲繞体２１４は、第１の囲繞体２１２の上部内側（ここで上部とは、図中上側を示す）に重なるように設けられている。第１の囲繞体２１２においては、底部２１２Ａの両端部に第１の起立片２１２Ｂ、第２の起立片２１２Ｃが立ち上がっている。この第１の起立片２１２Ｂ、第２の起立片２１２Ｃの内側に、第２の囲繞体２１４の本体２１４Ａの両端部から立ち上がっている第１の起立片２１４Ｂと第２の起立片２１４Ｃがそれぞれ重なり合うように構成されている。また、第１の囲繞体２１２のロック穴２１２Ｆが第２の囲繞体２１４のロック穴２１４Ｆと重なりロック竿２０８Ａの挿通により錠前２０８が旋錠可能となる。また、第１の囲繞体２１２のロック穴２１２Ｇが第２の囲繞体２１４のロック穴２１４Ｇと重なりロック竿２０９Ａの挿通により錠前２０９が旋錠可能となる。
次に図１９について詳細に説明する。図１９は、ロック用組体２１０を構成する第１の囲繞体２１２及び第２の囲繞体２１４がコネクタ２０６に取り付けられた状態を、起立片２１２Ｃ側から見た断面図として示した図である。錠前２０９の旋錠によりコネクタ２０６は差込口２０４へ挿入されたままロックされる。すなわち、コネクタ２０６が、差込口２０４に挿入された状態で、第１の囲繞体２１２の底部２１２Ａがコネクタ２０６の底部２０６Ｂに接触するように取り付けられる。この場合、第１の囲繞体２１２の第３の起立片２１２Ｄに設けられている係止用凹部２１６は、コネクタ２０６の根元の溝部２０６Ｃに食い込む状態となっている。さらに、第２の囲繞体２１４の突出片２１４Ｅは、コネクタ２０６が差込口２０４に挿入されている状態でコネクタ２０６の上面２０６Ａに接触し沿うようにラッチ用フラッパ２１０の下に挿入されている。この状態で、図１９に示すように、ロック用組体２１０を構成する第１の囲繞体２１２及び第２の囲繞体２１４は、錠前２０９の旋錠により、コネクタ２０６が差込口２０４へ挿入されたままロックされることになる。第１の囲繞体２１２の第３の起立片２１２Ｄに設けられている係止用凹部２１６は、図１８に示すように例えば５箇所の凹部を有する。また、第２の囲繞体２１４の突出片２１４Ｅは、図１８に示すように例えば５個の突出部を有する。この５個の突出部により５本のＬＡＮケーブルのコネクタ２０６を５箇所の差込口２０４で同時にロックすることが可能となる。
次に、第１の囲繞体２１２の形状の詳細を示す。図２０は、第１の囲繞体２１２の正面図である。第１の囲繞体２１２は、コネクタ２０６の底面２０６Ｂが接触する底部２１２Ａと、この底部２１２Ａの軸方向に沿う一方の側縁から起立した第１の起立片２１２Ｂ及び他方の側縁から起立した第２の起立片２１２Ｃと、この底部２１２Ａの軸方向に直行する方向に沿う後縁から起立した第３の起立片２１２Ｄとから一体的に形成されている。
また、図２０に示すように、第１の起立片２１２Ｂ及び他方の側縁から起立した第２の起立片２１２Ｃは同じ高さ及び幅を有している。また、第１の起立片２１２Ｂには錠前２０８のロック竿２０８Ａを挿通するロック穴２１２Ｆが、第２の起立片２１２Ｃには錠前２０９のロック竿２０９Ａを挿通するロック穴２１２Ｇが形成されている。
また、第３の起立片２１２Ｄには、係止用凹部２１６が設けられている。すなわち、この係止用凹部２１６は、図１９に示すように、ロック用組体２１０がコネクタ２０６に組み付けられた状態で、コネクタ２０６の後方部位に多数形成された溝部２０６Ｃの一つに嵌まり込み係止可能とするものである。この係止された状態で、第１の囲繞体２１２（従って、ロック用組体２１０全体）の軸方向に沿う移動が禁止されるようになされている。係止用凹部２１６は例えば５箇所設けられており５本までのＬＡＮケーブルの係止に対応出来るものである。
図２１は、第１の囲繞体２１２の側面図である。第１の起立片２１２Ｂには錠前２０８のロック竿２０８Ａを挿通するロック穴２１２Ｆが形成されている。また、第３の起立片２１２Ｄは、第１の起立片２１２Ｂに沿うように立ち上がっている。
図２２は、第１の囲繞体２１２の平面図である。底部２１２Ａの両端に第１の起立片２１２Ｂ及び第２の起立片２１２Ｃが設けられている。また、係止用凹部２１６が設けられている第３の起立片２１２Ｄが、第１の起立片２１２Ｂ及び第２の起立片２１２Ｃを結ぶ一辺に設けられている。
次に、第２の囲繞体２１４の形状の詳細を示す。図２３は第２の囲繞体２１４の平面図である。第２の囲繞体２１４は、板状の本体２１４Ａと、この本体２１４Ａの軸方向に沿う一方の側縁から起立した第１の起立片２１４Ｂ及び他方の側縁から起立した第２の起立片２１４Ｃと、この本体２１４Ａの前縁から前方に突出する突出片２１４Ｅとから一体的に形成されている。尚、この突出片２１４Ｅは例えば５箇所設けられており、この５箇所の突出片２１４Ｅにより５本のＬＡＮケーブルのコネクタ２０６を５箇所の差込口２０４で同時にロックすることができる。
図２４は第２の囲繞体２１４の側面図である。第１の起立片２１４Ｂには錠前２０９のロック竿２０９Ａを挿通するロック穴２１４Ｆが形成されている。また突起片２１４Ｅが、第１の起立片２１４Ｂの底部の本体２１４Ａの一部となり突き出している。
図２５は第２の囲繞体２１４の正面図である。第１の起立片２１４Ｂ及び他方の側縁から起立した第２の起立片２１４Ｃは同じ高さ及び幅を有する。第１の起立片２１４Ｂには錠前２０８のロック竿２０８Ａを挿通するロック穴２１４Ｆが、第２の起立片２１４Ｃには錠前２０９のロック竿２０９Ａを挿通するロック穴２１４Ｇが形成されている
以下に、第１の囲繞体２１２と第２の囲繞体２１４を互いに組み立てる手順について図２６を参照して説明する。
図２６は第１の囲繞体２１２と第２の囲繞体２１４を互いに組み立てた時の正面図である。第１の囲繞体２１２は、図中上方から組み付けられた第２の囲繞体２１４と各々の起立片が一部重なるように組み立てられる。すなわち、第１の囲繞体２１２の第１の起立片２１２Ｂのロック穴２１２Ｆと第２の囲繞体２１４の第１の起立片２１４Ｂのロック穴２１４Ｆが同じ位置となるように、また、第１の囲繞体２１２の第２の起立片２１２Ｃのロック穴２１２Ｇと第２の囲繞体２１４の第２の起立片２１４Ｃのロック穴２１４Ｇが同じ位置となるように組み立てられる。
この後、複数のコネクタ２０６が複数の差込口２０４に挿入された状態で、第１の囲繞体２１２の底部２１２Ａがコネクタ２０６の底部２０６Ｂに接触すると共に、第１の囲繞体２１２の第１の起立片２１２Ｂ及び第２の起立片２１２Ｃが、５箇所の差込口に差し込まれた５個のコネクタ２０６のうち外側の２つのコネクタ２０６のさらに外側に位置するように構成されている。この場合、第１の囲繞体２１２の第３の起立片２１２Ｄに設けられている係止用凹部２１６は、コネクタ２０６の根元の溝部２０６Ｃに食い込む状態となる。さらに、第２の囲繞体２１４の突出片２１４Ｅは、５個のコネクタ２０６が５箇所の差込口２０４に挿入されている状態で夫々のコネクタ２０６の上面２０６Ａに接触し沿うようにラッチ用フラッパ２１０の下に挿入される。この状態で、ロック用組体２１０を構成する第１の囲繞体２１２及び第２の囲繞体２１４は図２６に示すような構成（ただし、この図２６では、５個のコネクタ２０６は省略されている）になり、錠前２０８及び２０９の旋錠により夫々のコネクタ２０６が差込口２０４へ挿入されたままロックされる。
尚、図２７及び図２８を参照して、通常の状態における（即ち、この第二の実施例のロック用組体２１０を用いていない状態における）コネクタ２０６の複数の差込口２０４への挿入動作を説明する。
図２７はコネクタ２０６とハブ２０２に設けられた差込口２０４の断面図である。先ず、コネクタ２０６の上面２０６Ａの前端縁には、弾性的に押し込み偏倚自在であるフラッパ２１０が一体的に取り付けられている。
このフラッパ２１０は、その基端部２１０Ａが幅広に設定されており、この基端部２１０Ａに引き続く先端部２１０Ｂは、基端部２１０Ａよりも幅狭に設定されている。即ち、フラッパ２１０は、幅方向に関して２段構造を呈しており、略中ほどで、段差が形成されているものである。
図２８は、ハブ２０２に設けられた複数の差込口２０４を示す斜視図である。差込口２０４の開口部の上縁には、フラッパ２１０の幅広の基端部２１０Ａが挿通可能な第１の溝部２０４Ａが形成されており、この第１の溝部２０４Ａの上底面には、フラッパ２１０の幅広の基端部２１０Ａが挿通不能で、幅狭の先端部２１０Ｂのみが挿通可能な第２の溝部２０４Ｂが形成されている。尚、第２の溝部２０４Ｂの軸方向に沿う厚さは薄く設定され、所謂係止用の肩部が規定されている。
差込口２０４は、このような構造を呈しているので、図２７に示すように、コネクタ２０６が差込口２０４に挿入されてくると、フラッパ２１０の幅広の基端部２１０Ａは、第１の溝部２０４Ａを通り抜けながら、これの上底面で徐々に押し下げられることになる。そして、フラッパ２１０の先端部２１０Ｂに移行する段差部が、上述した肩部を通過した時点で、幅狭の先端部２１０Ｂが自身の弾性力により第２の溝部２０４Ｂ内に落ち込むように入り込むこととなり、これにより、フラッパ２１０の段差部が差込口２０４の肩部に係止されることになる。このような段差部と肩部との係止関係により、コネクタ２０６の差込口２０４への差込状態が、抜き取り不能にロックされることになる。
一方、この差込状態から、コネクタ２０６を抜き取る際には、フラッパ２１０を自身の弾性力に抗して押し下げる。この押し下げにより、上述した段差部と肩部との間の係止状態が解除され、コネクタ２０６は差込口２０４から抜き出すことが可能な状態となる。即ち、コネクタ２０６の差込口２０４へのラッチ状態が解除されることになる。この解除状態で、コネクタ２０６を差込口２０４から引き抜くことにより、コネクタ２０６は差込口２０４から引き出されることになる。
このように構成されたコネクタ２０６及び差込口２０４の構成において、この第二の実施例のロック用組体２１０を組み付けると、第２の囲繞体２１４に一体的に形成された突出片２１４Ｅが、フラッパ２１０の押し下げ移動を邪魔し、フラッパ２１０の押し下げによるラッチの解除が阻止されることになる。この結果、コネクタ２０６は差込口２０４に差し込まれた状態を維持（即ち、ロック）されることとなり、コネクタ２０６の差込口２０４からの抜き取りが確実に禁止されることになる。
以上詳述したように、この第二の実施例に係わるロック用組体２１０を用いて、ハブ２０２の差込口２０４に差し込まれているコネクタ２０６の、該差込口２０４への差込状態をロックすることにより、ハブ２０２にＬＡＮケーブル１００を効果的にロックすることができので、ＬＡＮケーブル１００に接続されたＰＣをＬＡＮケーブルと一体で持ち出すことを効果的に防止することができる。
この第二の実施例に係わるロック用組体２１０を用いる状態において、ＰＣを持ち去ろう（その設置場所から強制的に移動させよう）とする者は、ＬＡＮケーブル１００を切断するしか手段がなくなるものである。しかし、ひとたびこのＬＡＮケーブル１００が切断されると、例えば、金属製のカッタ刃がＬＡＮケーブル１００内のコードに接触してショートする状態となり、このショート現象が、ＬＡＮケーブル１００が接続される相手側であるサーバにより検知されて、このサーバにおいて、ＬＡＮケーブル１００の意図しない切断が認識されえる状態となるものである。また、例えショート現象が検知されない場合においても、切断された後のＬＡＮケーブル１００においては、コードがオープン状態となるものであり、このオープン状態がサーバにより検知されて、同様に、このサーバにおいて、ＬＡＮケーブル１００の意図しない切断が認識される状態となるものである。
このように、第二の実施例におけるロック用組体を使用することにより、安易にＰＣを他の場所に移動させることを含めて、盗難から有効に防止することができるものである。即ち、この第二の実施例においては、従来のロック用のワイヤー等の連結具を用いて、ＰＣをその設置場所に止め置くようにしていたことと比較して、ＰＣの筐体に何ら別部材を接着することなく、ハブ２０２に既に連結されているコネクタ２０６の抜き取りをロック（禁止）することによりＰＣの、盗難防止の効果を奏することができるものであり、その有用性はきわめて高いものである。
さらに、この第二の実施例においては、ハブに差し込まれた複数のＬＡＮケーブルのコネクタ２０６を同時に該差込口２０４への挿入状態をロックし、ハブからＬＡＮケーブルを抜けない状態とすることにより、ハブに接続されたＬＡＮケーブルを故意または誤って抜いたり、異なるＬＡＮケーブルを故意または誤って差込むことで発生する、イントラネットのシステム障害等のトラブルを防止するという効果も期待できる。
即ち、この第二の実施例のロック用組体２１０を用いることにより、ＰＣ１０２の盗難を防止することのみならず、ローカルエリアネットワークやイントラネットのトラブル防止も可能であり、セキュリティーの向上を図ることができるものである。
この発明は、上述した第二の実施例の構成に限定されることなく、この発明の要旨を逸脱しない範囲で種々の変形可能であることは言うまでもない。
例えば、上述の実施例では錠前を２個使用する場合につき説明したが、この構成に限ることはなく、第１の囲繞体、第２の囲繞体の形状を工夫することにより錠前を１個とすることが可能であることは言うまでもない。
また、上述の第二の実施例ではハブの差込口の数を５箇所、ＬＡＮケーブルのコネクタの個数が５個の場合について説明したが、この数に限定されるものではないことは言うまでもない。
第三の実施例
以下、本発明に係わるロック用組体の第三の実施例について図２９乃至図３４を用いて詳細に説明する。図２９は本発明になるロック用組体の組み上げられた状態を示す斜視図であり、図２９（ａ）は一方向から見た斜視図、図２９（ｂ）は図２９（ａ）とは反対方向から見た斜視図である。図３０は本発明になるロック用組体が組み上げられ、コネクタが差込口へ挿入された状態でロックされる様子を示す断面図である。
図２９、図３０に示すように、ロック用組体３１０は、第１の囲繞体３１２と第２の囲繞体３１４とから構成される。このロック用組体３１０は、ＬＡＮケーブル用コネクタ（以下、単にコネクタと呼ぶ。）３０６に取り付けられ、コネクタ３０６がＰＣ１０１の差込口３０４に挿入される状態をロックし或いは解除するよう取り付けられている。
すなわち、このロック用組体３１０は、コネクタ３０６に取り付けられ、押しネジ３０８で留めることによりコネクタ３０６が差込口３０４へ挿入された状態でロックされる。また、ロック用組体３１０は、押しネジ３０８を取り外すことによりコネクタ３０６から取り外され、コネクタ３０６を差込口３０４からの抜き取りを可能とする。このようにロック用組体３１０は、コネクタ３０６の差込口３０４への挿入状態をロックすることにより、ＰＣからコネクタ３０６が抜けない状態とし、ＰＣの盗難を防止することができるようになされている。
図２９（ａ）及び図２９（ｂ）について詳細に説明する。第２の囲繞体３１４は、第１の囲繞体３１２の上部内側（ここで上部とは、図中上側を示す）に重なるように設けられている。第１の囲繞体３１２においては、底部３１２Ａの両端部に第１の起立片３１２Ｂ、第２の起立片３１２Ｃが立ち上がっている。この第１の起立片３１２Ｂ、第２の起立片３１２Ｃの内側に、第２の囲繞体３１４の底部３１４Ａの両端部から立ち上がっている第１の起立片３１４Ｂと第２の起立片３１４Ｃがそれぞれ重なり合うように構成されている。また、第１の囲繞体３１２の第２の起立片３１２Ｃの先端部の突起片３１２Ｇが、第２の囲繞体３１４の第２の起立片３１４Ｃに設けられている貫通孔３１４Ｇに嵌め込む状態で固定されている。さらに、第１の囲繞体３１２の第１の起立片３１２Ｂに設けられているバカ穴の位置と、第２の囲繞体３１４の第１の起立片３１４Ｂに設けられているネジ穴の位置とを重ね合わされており、バカ穴側から押しネジ３０８をネジ穴に差込み、第１の囲繞体３１２と第２の囲繞体３１４を固着させることが出来る。なお、ネジ頭３０８Ａには工具を差込みネジを回す溝が設けられている。ネジ部３０８Ｂは押しネジ３０８の軸の部分であり、一定のピッチのネジ山が形成されている。
次に図３０について詳細に説明する。図３０は、ロック用組体３１０を構成する第１の囲繞体３１２及び第２の囲繞体３１４がコネクタ３０６に取り付けられた状態を、起立片３１２Ｂ側から見た断面図として示した図である。コネクタ３０６が、差込口３０４に挿入された状態で、第１の囲繞体３１２の底部３１２Ａがコネクタ３０６の上部３０６Ａに接触する。この状態で第１の囲繞体３１２は、第１の係止片３１２Ｅがコネクタ３０６の根元の上部溝部３０６Ｃに食い込むとともに、第１の囲繞体３１２の規制片３１２Ｄがコネクタ３０６のラッチ用フラッパ３０９の下に挿入されるように取り付けられる。また、第２の囲繞体３１４は、第１の囲繞体３１２の第２の起立片３１２Ｃの先端部の突起片３１２Ｇが第２の囲繞体３１４の第２の起立片３１４Ｃに設けられている貫通孔３１４Ｇに嵌め込まれるとともに、第２の囲繞体３１４の第２の係止片３１４Ｅが、コネクタ３０６の根元の底部溝部３０６Ｄに食い込むように取り付けられている。
この状態で、図３０に示すように、ロック用組体３１０を構成する第１の囲繞体３１２及び第２の囲繞体３１４は、押しネジ３０８によりコネクタ３０６が差込口３０４へ挿入されたままロックされることになる。第１の囲繞体３１２の第１の係止片３１２Ｅ及び第２の囲繞体３１４の第２の係止片３１４Ｅは、図２９（ｂ）に示すよう、それぞれ突起を２個有する。これらの２個の突起は夫々がＬＡＮケーブル用コネクタ３０６の根元の上部溝部３０６Ｃと底部溝部３０６Ｄをそれぞれ挟み込む構造となっている。
図３１は、第１の囲繞体３１２と第２の囲繞体３１４をロックするための押しネジ３０８の例を示す図である。押しネジ３０８は、通常の工具では脱着不可能な特殊ネジであり、ＰＣ管理者のみが保有する専用工具により脱着が可能となるものである。図３１（ａ）は超極低頭ネジ、図３１（ｂ）は皿ネジ型のいたずら防止ネジ、図３１（ｃ）は丸ネジ型のたずら防止ネジである。これらは、いずれもねじの脱着を行うネジ頭３０８Ａに極めて特殊な立体形状の窪が形成されており、特殊な専用工具でこのネジ頭３０８Ａを回すことにより押しネジ３０８を取り外すことが出来る。このような特殊ネジを上述のロック用組体３１０に用いることにより、ＰＣ管理者のみが保有する特殊工具によりロック用組体３１０の脱着可能となるため、ＰＣ盗難防止には極めて有用である。
図３２は、第１の囲繞体３１２の形状の詳細を示す図である。図３２（ａ）は、第１の囲繞体３１２の正面図、図３２（ｂ）は、第１の囲繞体３１２の側面図、図３２（ｃ）は第１の囲繞体３１２の平面図である。第１の囲繞体３１２は、コネクタ３０６の上面３０６Ａが接触する底部３１２Ａと、この底部３１２Ａの軸方向に沿う一方の側縁から起立した第１の起立片３１２Ｂ及び他方の側縁から起立した第２の起立片３１２Ｃと、この底部３１２Ａの軸方向に直行する方向に沿う後縁から起立した第３の起立片３１２Ｅと、この底部３１２Ａの軸方向に直行する方向に沿う前縁から起立した規制片３１２Ｄと、から一体的に形成されている。第２の起立片３１２Ｃの先端部に突起片３１２Ｇが設けられている。規制片３１２Ｄは、コネクタ３０６のラッチ用フラッパ３０９の下に挿入されるように取り付けられる。また、第１の起立片３１２Ｂには、押しネジ３０８の貫通のためのバカ穴３１２Ｈが形成されている。このバカ穴３１２Ｈは、押しネジ３０８を通すための穴で、その直径は押しネジ３０８のネジ部３０８Ｂよりわずかに大きくなっている。
また、第１の係止片３１２Ｅは、ロック用組体３１０がコネクタ３０６に組み付けられた状態で、コネクタ３０６の後方部位に形成された上部溝部３０６Ｃに嵌まり込み係止可能とするものである。この係止された状態で、第１の囲繞体３１２（従って、ロック用組体３１０全体）の軸方向に沿う移動が禁止されるようになされている。また、この第１の係止片３１２Ｅは２個の突起を有し、一本のＬＡＮケーブル用コネクタ３０６の根元の上部溝部３０６Ｃを挟み込む構造となっている。
図３３は、第２の囲繞体３１４の形状の詳細を示す図である。図３３（ａ）は、第２の囲繞体３１４の正面図、図３３（ｂ）は第２の囲繞体３１４の側面図、図３３（ｃ）は第２の囲繞体３１４の平面図である。第２の囲繞体３１４は、底部３１４Ａと、この底部３１４Ａの一辺から起立した第１の起立片３１４Ｂと、他辺から起立した第２の起立片３１４Ｃと、底部３１４Ａの前縁から立ち上がる第２の係止片３１４Ｅと、底部３１４Ａの反対側の縁から出ている押え片３１４Ｄとを備え、一体的に形成されている。尚、第２の係止片３１４Ｅは、２個の突起を有し、一本のＬＡＮケーブル用コネクタ３０６の根元の上部溝部３０６Ｄを挟み込む構造となっている。また、押え片３１４Ｄは、コネクタ３０６の底部３０６Ｂに接触するように突き出されたものである。また、第１の起立片３１４Ｂには押しネジ３０８を締め付けるためのネジ穴３１４Ｈが形成されている。このネジ穴３１４Ｈは、第１の囲繞体３１２のバカ穴３１２Ｈを貫通した押しネジ３０８を締め付けるための穴で、ネジ部３０８Ｂのネジピッチに合わせてネジが切られている。第２の起立片３１４Ｃには貫通孔３１４Ｇが設けられている。
以下に、第１の囲繞体３１２と第２の囲繞体３１４を互いに組み立てる手順について図３４を参照して説明する。
図３４は第１の囲繞体３１２と第２の囲繞体３１４を互いに組み立てた時の正面図である。第１の囲繞体３１２は、上方から組み付けられた第２の囲繞体３１４と各々の起立片が一部重なるように組み立てられる。すなわち、第２の囲繞体３１４の第２の起立片３１４Ｃの貫通孔３１４Ｇに第１の囲繞体３１２の第２の起立片３１２Ｃの突起片３１２Ｇを嵌め込む。次に、第１の囲繞体３１２の第１の起立片３１２Ｂのバカ穴３１２Ｈと第２の囲繞体３１４の第１の起立片３１４Ｂのネジ穴３１４Ｈが同じ位置となるように合わせて、押しネジ３０８で第１の囲繞体３１２の第１の起立片３１２Ｂと第２の囲繞体３１４の第１の起立片３１４Ｂを締めつけ、組み立てられている。
また、コネクタ３０６が差込口３０４に挿入された状態で、第１の囲繞体３１２の底部３１２Ａがコネクタ３０６の上面３０６Ａに接触するように、第１の囲繞体３１２の第１の起立片３１２Ｂ及び第２の起立片３１２Ｃがコネクタ３０６の下方に位置するように組み立てられる。また、この際、第１の囲繞体３１２の第１の係止片３１２Ｅは、コネクタ３０６の根元の上面溝部３０６Ｃに食い込む状態となり、第２の囲繞体３１４の第２の係止片３１４Ｅは、コネクタ３０６の根元の底面溝部３０６Ｄに食い込む状態となる。また、規制片３１２Ｄはコネクタ３０６が差込口３０４に挿入されている状態でラッチ用フラッパ３０９の下に挿入される。
このように組み立てられたロック用組体３１０は、押しネジ３０８により第１の囲繞体３１２の第１の起立片３１２Ｂと第２の囲繞体３１４の第１の起立片３１４Ｂが締め付けられ、コネクタ３０６が差込口３０４へ挿入されたままロックされる。
以上詳述したように、この第三の実施例に係わるロック用組体３１０では、第一の実施例と同じ効果を有するばかりでなく、第一の実施例における突出片１４Ｅを、第三の実施例の規制片３１２Ｄのように形を工夫することで、小型化を実現することができた。さらに、第三の実施例では、第一の実施例における錠前１０８の代わりに押しネジ３０８を用いることで小型化が実現できると共に、押しネジ３０８を通常の工具では脱着不可能な特殊ネジとすることで、盗難を有効に防止することが可能となり、その有用性はきわめて高いものである。
第四の実施例
以下、本発明に係わるロック用組体の第四の実施例について図３５乃至図３９を用いて詳細に説明する。図３５は本発明になるロック用組体の組み上げられた状態を示す斜視図であり、図３５（ａ）は一方向から見た斜視図、図３５（ｂ）は図３５（ａ）とは反対方向から見た斜視図である。図３６は本発明になるロック用組体が組み上げられ、コネクタが差込口へ挿入された状態でロックされる様子を示す断面図である。
図３５、図３６に示すように、ロック用組体４１０は、第１の囲繞体４１２と第２の囲繞体４１４とから構成される。このロック用組体４１０は、ＬＡＮケーブル用コネクタ（以下、単にコネクタと呼ぶ。）４０６に取り付けられ、コネクタ４０６がハブ４０２の差込口４０４に挿入される状態をロックし或いは解除するよう取り付けられている。
すなわち、このロック用組体４１０は、コネクタ４０６に取り付けられ、押しネジ３０８で留めることによりコネクタ４０６が差込口４０４へ挿入された状態でロックされる。また、ロック用組体４１０は、押しネジ３０８を取り外すことによりコネクタ４０６から取り外され、コネクタ４０６を差込口４０４からの抜き取りを可能とする。このようにロック用組体４１０は、コネクタ４０６の差込口４０４への挿入状態をロックすることにより、ＰＣからコネクタ４０６が抜けない状態とし、ＰＣの盗難を防止することができるようになされている。
図３５（ａ）及び図３５（ｂ）について詳細に説明する。第２の囲繞体４１４は、第１の囲繞体４１２の上部内側（ここで上部とは、図中上側を示す）に重なるように設けられている。第１の囲繞体４１２においては、底部４１２Ａの両端部に第１の起立片４１２Ｂ、第２の起立片４１２Ｃが立ち上がっている。この第１の起立片４１２Ｂ、第２の起立片４１２Ｃの内側に、第２の囲繞体４１４の底部４１４Ａの両端部から立ち上がっている第１の起立片４１４Ｂと第２の起立片４１４Ｃがそれぞれ重なり合うように構成されている。また、第１の囲繞体４１２の第２の起立片４１２Ｃの先端部の突起片４１２Ｇが、第２の囲繞体４１４の第２の起立片４１４Ｃに設けられている貫通孔４１４Ｇに嵌め込む状態で固定されている。さらに、第１の囲繞体４１２の第１の起立片４１２Ｂに設けられているバカ穴の位置と、第２の囲繞体４１４第１の起立片４１４Ｂに設けられているネジ穴の位置とを重ね合わせ、バカ穴側から押しネジ３０８をネジ穴に差込み、第１の囲繞体４１２と第２の囲繞体４１４を固着させることが出来る。なお、ネジ頭３０８Ａはネジ３０８の頭の部分で工具を差込みネジを回す溝が設けられている。ネジ部３０８Ｂはネジ３０８の軸の部分で一定のピッチのネジ山が形成されている。
次に図３６について詳細に説明する。図３６は、ロック用組体４１０を構成する第１の囲繞体４１２及び第２の囲繞体４１４がコネクタ４０６に取り付けられた状態を、起立片４１２Ｂ側から見た断面図として示した図である。コネクタ４０６が、差込口４０４に挿入された状態で、第１の囲繞体４１２の底部４１２Ａがコネクタ４０６の上部４０６Ａに接触する。この状態で第１の囲繞体４１２は、第１の係止片４１２Ｅがコネクタ４０６の根元の上部溝部４０６Ｃに食い込むとともに、第１の囲繞体４１２の規制片４１２Ｄがコネクタ４０６のラッチ用フラッパ４０９の下に挿入されるように取り付けられる。また、第２の囲繞体４１４は、第１の囲繞体４１２の第２の起立片４１２Ｃの先端部の突起片４１２Ｇが第２の囲繞体４１４の第２の起立片４１４Ｃに設けられている貫通孔４１４Ｇに嵌め込まれるとともに、第２の囲繞体４１４の第２の係止片４１４Ｅが、コネクタ４０６の根元の底部溝部４０６Ｄに食い込むように取り付けられている。
この状態で、図３６に示すように、ロック用組体４１０を構成する第１の囲繞体４１２及び第２の囲繞体４１４は、押しネジ３０８によりコネクタ４０６が差込口４０４へ挿入されたままロックされることになる。第１の囲繞体４１２の第１の係止片４１２Ｅ及び第２の囲繞体４１４の第２の係止片４１４Ｅは、図３５（ｂ）に示すよう、それぞれ突起を複数個有する。これらの複数の突起は、複数のＬＡＮケーブル用コネクタ３０６の夫々の根元の上部溝部４０６Ｃと底部溝部４０６Ｄをそれぞれ挟み込む構造となっている。
図３７は、第１の囲繞体４１２の形状の詳細を示す図である。図３７（ａ）は、第１の囲繞体４１２の正面図、図３７（ｂ）は、第１の囲繞体４１２の側面図、図３７（ｃ）は、第１の囲繞体４１２の平面図である。第１の囲繞体４１２は、コネクタ４０６の上面４０６Ａが接触する底部４１２Ａと、この底部４１２Ａの軸方向に沿う一方の側縁から起立した第１の起立片４１２Ｂ及び他方の側縁から起立した第２の起立片４１２Ｃと、この底部４１２Ａの軸方向に直行する方向に沿う後縁から起立した第３の起立片４１２Ｅと、この底部４１２Ａの軸方向に直行する方向に沿う前縁から起立した規制片４１２Ｄと、から一体的に形成されている。第２の起立片４１２Ｃの先端部に突起片４１２Ｇが設けられている。規制片４１２Ｄは３個形成されており、コネクタ４０６のラッチ用フラッパ４０９の下に挿入されるように取り付けられる。また、第１の起立片４１２Ｂには、押しネジ３０８の貫通のためのバカ穴３１２Ｈが形成されている。このバカ穴３１２Ｈは、押しネジ３０８を通すための穴で、その直径は押しネジ３０８のネジ部１０８Ｂの直径よりわずかに大きくなっている。
また、第１の係止片４１２Ｅは３個から成り、ロック用組体４１０がコネクタ４０６に組み付けられた状態で、３個のコネクタ４０６の夫々の後方部位に形成された上部溝部４０６Ｃに嵌まり込み係止可能とするものである。この係止された状態で、第１の囲繞体４１２（従って、ロック用組体４１０全体）の軸方向に沿う移動が禁止されるようになされている。また、この第１の係止片４１２Ｅは６個の突起を有し、３個のコネクタ４０６の根元の上部溝部４０６Ｃを挟み込む構造となっている。
図３８は、第２の囲繞体４１４の形状の詳細を示す図である。図３８（ａ）は、第２の囲繞体４１４の正面図、図３８（ｂ）は第２の囲繞体４１４の側面図、図３８（ｃ）は第２の囲繞体４１４の平面図である。第２の囲繞体４１４は、底部４１４Ａと、この底部４１４Ａの一辺から起立した第１の起立片４１４Ｂと、他辺から起立した第２の起立片４１４Ｃと、底部４１４Ａの前縁から立ち上がる第２の起立片４１４Ｅと、底部４１４Ａの反対側の縁から出ている押え片４１４Ｄとを備え、一体的に形成されている。尚、第２の係止片４１４Ｅは６個の突起を有し、三本のＬＡＮケーブル用コネクタ４０６の夫々の根元の上部溝部４０６Ｄを挟み込む構造となっている。また、押え片４１４Ｄは、コネクタ４０６の底部４０６Ｂに接触するように突き出されたものである。また、第１の起立片４１４Ｂには押しネジ３０８を締め付けるためのネジ穴４１４Ｈが形成されている。このネジ穴４１４Ｈは、第１の囲繞体４１２のバカ穴４１２Ｈを貫通した押しネジ３０８を締め付けるための穴で、ネジ部４０８Ｂのネジピッチに合わせてネジが切られている。第２の起立片４１４Ｃには貫通孔３１４Ｇが設けられている。
以下に、第１の囲繞体４１２と第２の囲繞体４１４を互いに組み立てる手順について図３９を参照して説明する。
図３９は第１の囲繞体４１２と第２の囲繞体４１４を互いに組み立てた時の正面図である。第１の囲繞体４１２は、上方から組み付けられた第２の囲繞体４１４と各々の起立片が一部重なるように組み立てられる。すなわち、第２の囲繞体４１４の第２の起立片４１４Ｃの貫通孔４１４Ｇに第１の囲繞体４１２の第２の起立片３１２Ｃの突起片４１２Ｇを嵌め込む。次に、第１の囲繞体４１２の第１の起立片４１２Ｂのバカ穴４１２Ｈと第２の囲繞体４１４の第１の起立片４１４Ｂのネジ穴４１４Ｈが同じ位置となるように合わせて、押しネジ３０８で第１の囲繞体４１２の第１の起立片４１２Ｂと第２の囲繞体４１４の第１の起立片４１４Ｂを締めつけ、組み立てられる。
また、コネクタ４０６が差込口４０４に挿入された状態で、第１の囲繞体４１２の底部４１２Ａがコネクタ４０６の上面４０６Ａに接触するように、第１の囲繞体４１２の第１の起立片４１２Ｂ及び第２の起立片４１２Ｃがコネクタ４０６の下方に位置するように組み立てられる。また、この際、第１の囲繞体４１２の第１の係止片４１２Ｅは、コネクタ４０６の根元の上面溝部４０６Ｃに食い込む状態となり、第２の囲繞体４１４の第２の係止片４１４Ｅは、コネクタ４０６の根元の底面溝部４０６Ｄに食い込む状態となる。また、規制片４１２Ｄはコネクタ４０６が差込口４０４に挿入されている状態でラッチ用フラッパ４０９の下に挿入される。
このように組み立てられたロック用組体４１０は、押しネジ３０８により第１の囲繞体４１２の第１の起立片４１２Ｂと第２の囲繞体４１４の第１の起立片４１４Ｂが締め付けられ、コネクタ４０６が差込口４０４へ挿入されたままロックされる。
以上詳述したように、この第四の実施例に係わるロック用組体４１０では、第二の実施例と同じ効果を有するばかりでなく、第二の実施例における突出片２１４Ｅを、第四の実施例の規制片４１２Ｄのように形を工夫することで、小型化を実現することができた。さらに、第四の実施例では、第二の実施例における錠前２０８及び２０９の代わりに押しネジ３０８を一つだけ用いるように構成したので小型化が実現できると共に、押しネジ３０８を通常の工具では脱着不可能な特殊ネジとすることで、盗難を有効に防止することが可能となり、その有用性はきわめて高いものである。
この発明は、上述した第四の実施例の構成に限定されることなく、この発明の要旨を逸脱しない範囲で種々の変形可能であることは言うまでもない。
例えば、上述の第四の実施例ではＬＡＮケーブルのコネクタの個数が３個の場合について説明したが、この数に限定されるものではないことは言うまでもない。
第五の実施例
以下、本発明に係わるロック用組体の第五の実施例について図４０乃至図４２を用いて詳細に説明する。なお、第三の実施例と構成が同じ場所には、同じ記号を付して説明を省略する。
図４０乃至図４２は本発明になるロック用組体３１０の組み上げられた状態を示す斜視図であり、図４０は第１の囲繞体３１２の第２の起立片３１２Ｃ側から見た斜視図、図４１は第１の囲繞体３１２の第１の起立片３１２Ｂ側から見た斜視図、図４２は第１の囲繞体３１２の底部３１２Ａ側から見た斜視図を示している。
図４０乃至図４２に示すロック用組体３１０には、盗難防止のためにロックされたＰＣを識別する識別手段が設けられている。これは、複数のＰＣ管理者が自己の担当するＰＣがつながれたＬＡＮケーブルを誤りなく迅速に識別し、ＰＣの管理を効率よく行うためのものである。
この第五の実施例においては、識別手段として、カラーシールをロック用組体３１０に貼り付けている。カラーシールの貼り付け場所は、ＰＣ管理者の管理に都合の良い場所であればどこでも良く、例えば、図４０に示す第２の囲繞体３１４の底部３１４Ａのカラーシール５０２の場所や、第１の囲繞体３１２の第２の起立片３１２Ｃの外側のカラーシール５０４の場所や、若しくは、図４１に示す第１の囲繞体３１２の第１の起立片３１２Ｂの外側のカラーシール５０６の場所や、図４２に示す第１の囲繞体３１２の底部３１４Ａの裏側のカラーシール５０８の場所などがある。
また、識別手段としては、カラーシールの他に、ロック用組体３１０を着色する方法を使用しても良い。着色する場所としては、ロック用組体３１０を全て着色しても良いし、或いは上述したカラーシールの貼り付け場所のみに着色しても良いことは言うまでもない。
第六の実施例
以下、本発明に係わるロック用組体の第六の実施例について図４３乃至図４５を用いて詳細に説明する。なお、第四の実施例と構成が同じ場所には、同じ記号を付して説明を省略する。
図４３乃至図４５は本発明になるロック用組体４１０の組み上げられた状態を示す斜視図であり、図４３は第１の囲繞体４１２の第２の起立片４１２Ｃ側から見た斜視図、図４４は第１の囲繞体４１２の第１の起立片４１２Ｂ側から見た斜視図、図４５は第１の囲繞体４１２の底部４１２Ａ側から見た斜視図を示している。
図４３乃至図４５に示すロック用組体４１０には、盗難防止のためにロックされたＰＣを識別する識別手段が設けられている。これは、複数のＰＣ管理者が自己の担当するＰＣがつながれたＬＡＮケーブルを誤りなく迅速に識別し、ＰＣの管理を効率よく行うためのものである。
この第六の実施例においては、識別手段として、カラーシールをロック用組体４１０に貼り付けている。カラーシールの貼り付け場所は、ＰＣ管理者の管理に都合の良い場所であればどこでも良く、例えば、図４３に示す第２の囲繞体４１４の底部４１４Ａのカラーシール６０２の場所や、第１の囲繞体４１２の第２の起立片４１２Ｃの外側のカラーシール６０４の場所や、若しくは、図４４に示す第１の囲繞体４１２の第１の起立片４１２Ｂの外側のカラーシール６０６の場所や、図４５に示す第１の囲繞体４１２の底部４１４Ａの裏側のカラーシール６０８の場所などがある。
また、識別手段としては、カラーシールの他に、ロック用組体４１０を着色する方法を使用しても良い。着色する場所としては、ロック用組体３１０を全て着色しても良いし、或いは上述したカラーシールの貼り付け場所のみに着色しても良いことは言うまでもない。
その他の変形例
この発明は、上述した実施例の構成に限定されることなく、この発明の要旨を逸脱しない範囲で種々の変形可能であることは言うまでもない。
上述した第五の実施例及び第六の実施例では、識別手段にカラーシールやロック用組体自身を着色する方法を説明したが、識別手段はこの方法に限定されることはない。即ち、第三の実施例乃至第六の実施例で説明した、押しネジとして使用した特殊ネジをロック用組体毎にその変えることで識別する方法でも良い。なお、このとき、取り付け、取り外しする工具の種類が違う特殊ネジを利用すれば、自己の管理するＰＣがつながれたＬＡＮケーブルのコネクタのみ着脱可能となるので、イントラネット構成でのＬＡＮケーブルの抜き差しによるトラブル防止の効果があるとともに、複数のＰＣ管理者が自己の担当するＰＣを誤りなく迅速に識別し、ＰＣの管理を効率よく行う効果も得られる。
また、識別手段として、カラーシール、着色のほかに、文字や記号などによる識別であってもよいし、その組み合わせとしても差し支えないことは言うまでもない。
【産業上の利用可能性】  以上詳述したように、この発明に係わるロック用組体は、ＰＣの盗難防止のための従来の連結用のワイヤーの使用に取って替わる画期的な技術であると共に、ＰＣ側及びハブ側両方のＬＡＮケーブルのコネクタの着脱を制限することにより、ＬＡＮケーブルの抜き差しによるトラブル防止の効果が得られる。
このＬＡＮケーブルのコネクタの着脱制限によりコンピュータ犯罪（即ちデータの盗難や不正アクセス）を防止することが可能であり、ローカルエリアネットワークやイントラネットのセキュリティの向上にも役立ち、この発明に係わるロック用組体はセキュリティ性向上用器具としての利用可能性が非常に高い。しかもＰＣ自体の盗難防止やイントラネットのトラブル防止の効果に付加した状態で、他のネットワークへの接続の禁止や、他のＰＣの接続によるサーバへの個人的なアクセスからの保全等、ネットワーク保全用器具への利用可能性も具体的に存在するものである。
【図１】
2005004293.tif 000003
【図２】
2005004293.tif 000004
【図３】
2005004293.tif 000005
【図４】
2005004293.tif 000006
【図５】
2005004293.tif 000007
【図６】
2005004293.tif 000008
【図７】
2005004293.tif 000009
【図８】
2005004293.tif 000010
【図９】
2005004293.tif 000011
【図１０】
2005004293.tif 000012
【図１１】
2005004293.tif 000013
【図１２】
2005004293.tif 000014
【図１３】
2005004293.tif 000015
【図１４】
2005004293.tif 000016
【図１５】
2005004293.tif 000017
【図１６】
2005004293.tif 000018
【図１７】
2005004293.tif 000019
【図１８】
2005004293.tif 000020
【図１９】
2005004293.tif 000021
【図２０】
2005004293.tif 000022
【図２１】
2005004293.tif 000023
【図２２】
2005004293.tif 000024
【図２３】
2005004293.tif 000025
【図２４】
2005004293.tif 000026
【図２５】
2005004293.tif 000027
【図２６】
2005004293.tif 000028
【図２７】
2005004293.tif 000029
【図２８】
2005004293.tif 000030
【図２９】
2005004293.tif 000031
【図３０】
2005004293.tif 000032
【図３１】
2005004293.tif 000033
【図３２】
2005004293.tif 000034
【図３３】
2005004293.tif 000035
【図３４】
2005004293.tif 000036
【図３５】
2005004293.tif 000037
【図３６】
2005004293.tif 000038
【図３７】
2005004293.tif 000039
【図３８】
2005004293.tif 000040
【図３９】
2005004293.tif 000041
【図４０】
2005004293.tif 000042
【図４１】
2005004293.tif 000043
【図４２】
2005004293.tif 000044
【図４３】
2005004293.tif 000045
【図４４】
2005004293.tif 000046
【図４５】
2005004293.tif 000047
【国際調査報告】
2005004293.tif 000048
2005004293.tif 000049
2005004293.tif 000050
2005004293.tif 000051